(57)【特許請求の範囲】
【請求項１】
振動により通知を行うための振動発生手段と、
充電器を用いて無接点充電するための充電手段と、
前記充電器との認証でやり取りされる情報、又は、前記充電器からの通知情報に基づき、無接点充電が予め定められた公共の場所で行われているか否かを判断する判断手段と、
前記振動により通知を行うモードに設定されており、且つ、無接点充電が前記予め定められた公共の場所で行われている場合に、前記振動発生手段の通知を行わないように制御する制御手段と
を含む、ことを特徴とする端末装置。
【請求項２】
前記充電手段がＩＤ認証回路を備えた、ことを特徴とする請求項１記載の端末装置。
【請求項３】
前記振動により通知を行うモードに設定されており、且つ、無接点充電が前記予め定められた公共の場所以外で行われていると判定される場合には、前記制御手段は前記振動発生手段の振動による通知を行う、ことを特徴とする請求項１又は２記載の端末装置。
【請求項４】
無接点充電を行う充電器との認証でやり取りされる情報、又は、前記充電器からの通知情報に基づき、無接点充電が予め定められた公共の場所で行われているか否かを判断し、
端末が振動発生手段の振動により通知を行うモードに設定されており、且つ、無接点充電が前記予め定められた公共の場所で行われている場合に、前記振動発生手段の通知を行わないように制御する、ことを特徴とする制御方法。
【請求項５】
前記端末と前記充電器との間で、ＩＤ認証を行う、ことを特徴とする請求項４記載の制御方法。
【請求項６】
前記端末が振動により通知を行うモードに設定されており、無接点充電が前記予め定められた公共の場所以外で行われていると判定された場合には、前記振動発生手段の振動による通知を行う、ことを特徴とする請求項５記載の制御方法。
【請求項７】
無接点充電を行う充電器との認証でやり取りされる情報、又は、前記充電器からの通知情報に基づき、無接点充電が予め定められた公共の場所で行われているか否かを判断する処理と、
振動発生手段の振動により通知を行うモードに設定されており、且つ、無接点充電が前記予め定められた公共の場所で行われている場合に、前記振動発生手段の通知を行わないように制御する処理と、
を端末のコンピュータに実行させるプログラム。
【請求項８】
請求項７記載のプログラムにおいて、前記充電器との間で、ＩＤ認証を行う処理を前記コンピュータに実行させるプログラム。
【請求項９】
請求項８記載のプログラムにおいて、前記振動により通知を行うモードに設定されており、無接点充電が前記予め定められた公共の場所以外で行われていると判定された場合には、前記振動発生手段による通知を行う処理を前記コンピュータに実行させるプログラム。
【発明の詳細な説明】
【技術分野】
【０００１】
本発明は、端末装置と制御方法とプログラムに関する。
【背景技術】
【０００２】
携帯電話端末を公共の場で利用する場合、当該携帯電話端末への音声着信や、メール受信や、アラーム鳴動等の音が周囲に迷惑をかけるため、携帯電話端末のユーザ（加入者）は、通常、マナーモードに設定する。マナーモードに設定した状態で、例えば音声着信すると、一般に、携帯電話端末内のバイブレータが振動する。
【０００３】
携帯電話端末の充電器を例えば電磁誘導等により無接点充電する場合、一般に、携帯電話端末を、無接点充電器の充電台の上に置いた状態で充電が行われる。
【０００４】
このとき、携帯電話端末をマナーモードに設定していると、音声着信、メール受信時、アラーム鳴動時等に、携帯電話端末内のバイブレータが振動する。
【０００５】
なお、充電中のバイブレータの制御として、例えば特許文献１には、受信器が充電中に信号を受信して振動してしまうと、充電用アダプターの上で受信器が振動して不快な音を出したり、振動充電用アダプターが移動、落下等して破損する事態を回避するため、充電中にワイヤレス信号を受信した際には、設定された振動出力モードを強制的に解除させる機能を備えたワイヤレス受信器が開示されている。
【０００６】
特許文献２には、複数の被充電機器のうちの振動出力モードに設定された被充電機器が振動すると充電器全体が振動し、充電器（１次コイル）と被充電機器（２次コイル）の位置がずれてしまい、効率的な充電が行えないという問題を解消するため、複数の被充電機器の一定量が充電されるまで振動を禁止するように設定する構成が開示されている。
【０００７】
特許文献３には、充電中の着信報知方法と非充電中の着信報知方法を独立して設定可能とし、充電中には、非充電中の着信報知方法にバイブレータが含まれる場合、バイブレータによる報知指定を無効とする携帯電話機が開示されている。
【先行技術文献】
【特許文献】
【０００８】
【特許文献１】特開２００１−１９７６７４号公報
【特許文献２】特開２０１０−２６８６０９号公報
【特許文献３】特開２００３−０７８５８５号公報
【発明の概要】
【発明が解決しようとする課題】
【０００９】
この関連技術には、次のような問題点があった。  
【００１０】
無接点充電では、携帯電話端末が固定されていない可能性がある。無接点充電器で充電中、携帯電話端末をマナーモードに設定した状態で、音声着信や、メール受信時や、アラーム鳴動時等に、携帯電話端末のバイブレータが振動するが、無接点充電器と携帯電話端末の位置のずれ等により、バイブレータの振動により、公共の場において大きな音を発する可能性がある。この場合、携帯電話端末をマナーモードに設定した意味がなくなる。
【００１１】
本発明は、上記問題点を鑑みて創案されたものであって、その目的は、振動により通知を行うモードに設定されている状態で、無接点充電中、振動発生手段の振動を抑制する装置、方法、プログラムを提供することにある。  
【課題を解決するための手段】
【００１２】
本発明の１つの側面によれば、振動により通知を行うための振動発生手段と、無接点充電するための充電手段と、前記振動により通知を行うモードに設定されている場合に、前記充電手段で無接点充電中であるか否かを判定し、前記判定結果に基づき、前記振動発生手段の振動を制御する制御手段とを含む装置が提供される。
【００１３】
本発明の別の側面によれば、端末が振動発生手段の振動により通知を行うモードに設定されている場合に、無接点充電中であるか否かを判定し、前記判定結果に基づき、前記振動発生手段の振動を制御する制御方法が提供される。
【００１４】
本発明の別の側面によれば、振動発生手段の振動により通知を行うモードに設定されている場合に、無接点充電中であるか否かを判定する処理と、
前記判定結果に基づき、前記振動発生手段の振動を制御する処理と、
をコンピュータに実行させるプログラムが提供される。
【発明の効果】
【００１５】
本発明によれば、振動により通知を行うモードに設定されている状態で、無接点充電中、振動発生手段の振動を抑制することができる。
【図面の簡単な説明】
【００１６】
【図１】本発明の一形態の構成を示す図である。
【図２】本発明の一実施形態の構成を示す図である。
【図３】本発明の一実施形態において充電中の端末装置と無接点充電器（充電台）を示す図である。
【図４】本発明の一実施形態の動作を説明する流れ図である。
【発明を実施するための形態】
【００１７】
本発明の実施形態について説明する。本発明の形態の一つによれば、図１を参照すると、振動により通知を行うための振動発生手段（３）と、無接点充電するための充電手段（２）と、前記振動により通知を行うモードに設定されている場合に、前記充電手段で無接点充電中であるか否かを判定し、前記判定結果に基づき、前記振動発生手段の振動を制御する制御手段（１）とを含む端末装置（１１）が提供される。端末装置（１１）が振動により通知を行うモードに設定されている状態において、無接点充電中に、振動による通知を行う事象が発生すると、制御手段（１）は振動発生手段（３）の振動を抑制する制御を行う。以下、実施形態に即して説明する。
【００１８】
＜実施形態１＞
図２は、本発明の一実施形態の要部構成を示す図である。なお、以下では、端末装置として携帯電話端末を例に説明するが、本発明は携帯電話端末にのみ制限されるものでないことは勿論であり、例えば、振動により通知を行うための手段と無接点充電機能を備えた装置であれば、他の任意の端末等に適用可能である。
【００１９】
図２を参照すると、端末装置１１は、ＣＰＵ（Ｃｅｎｔｒａｌ  Ｐｒｏｃｅｓｓｉｎｇ  Ｕｎｉｔ：中央処理装置）１（図１の制御手段に対応）と、無接点充電器でバッテリの充電を行う充電装置２（図１の充電手段に対応）と、マナーモードに設定されているとき、呼、メール等の着信報知、あるいはアラーム鳴動等を振動で通知するバイブレータ装置３（図１の振動発生手段に対応）と、マナーモードの設定等する入力装置等を含むユーザインタフェース（ＵＩ）４を含む。充電装置２と、バイブレータ３は、ＣＰＵ１により制御される。なお、図２の端末装置１１において、携帯電話端末等に実装される構成のうち無線通信部等は省略されている。
【００２０】
図３は、図２の端末装置１１を無接点充電器の充電台１２の上で充電中の状態を示す図である。例えば無接点充電器側の１次コイル（不図示）と端末装置１１の充電装置２の２次コイル（不図示）間の電磁誘導等により電力伝送が行われ、端末装置１１のバッテリ（不図示）の充電が行われる。
【００２１】
図４は、本発明の一実施形態の動作を説明する図である。図２乃至図４を参照して、本発明の一実施形態の動作を説明する。
【００２２】
端末装置１１への音声着信やメール受信やアラーム鳴動等の通知事象発生により（ステップＳ１）、ＣＰＵ１は通知動作の指令を発する。その際、ＣＰＵ１は、マナーモード設定状態か否かを判断し（ステップＳ２）、マナーモード設定状態でない場合（ステップＳ２のＮｏ分岐）、処理を終了する。マナーモード設定状態でない場合、音声着信時等に、着メロ等で通知が行われる。
【００２３】
一方、マナーモード設定状態である場合（ステップＳ２のＹｅｓ分岐）、ＣＰＵ１は、無接点充電中であるか否かを判断する（ステップＳ３）。特に制限されないが、ＣＰＵ１は、例えば充電装置２から無接点充電中であるか否かを示す信号を受け、無接点充電中であるか否かを判定するようにしてもよい。
【００２４】
無接点充電中でない場合（ステップＳ３のＮｏ分岐）、ＣＰＵ１は、バイブレータ装置３を動作させる（ステップＳ４）。
【００２５】
一方、無接点充電中の場合（ステップＳ３のＹｅｓ分岐）、ＣＰＵ１は、バイブレータ装置３を動作させずに処理を終了させる。  
【００２６】
本実施形態によれば、端末装置１１が無接点充電中のときは、マナーモード設定状態において音声着信やメール受信や、アラーム鳴動等によるバイブレータ装置３の振動は行われない。このため、公共の場で周囲への迷惑を及ぼすことはない。これらの通知に応答する必要がないと、端末装置１１のユーザが判断した場合、公共の場等において、無接点充電を中断することなく継続することが出来る。
【００２７】
＜実施形態２＞
次に、本発明の第２の実施形態について説明する。なお、第２の実施形態において、端末装置は、前記第１の実施形態と同様に図２の構成とされる。第２の実施形態では、端末装置１１を無接点充電器で充電する場所が、例えば公共の場であるか否か等に応じて、ＣＰＵ１は、バイブレータ装置３の振動の制御を行うか否かを判定する。
【００２８】
無接点充電では、被充電器と充電器間のＩＤ認証が行われる。例えば無接点充電器（１次コイル）にＩＤ認証回路が接続され、被充電器である端末装置１１の充電装置２（図１参照）内の２次コイルにＩＤ認証回路（不図示）が接続され、充電器と被充電器間でのＩＤ認証が行われる。
【００２９】
本実施形態では、端末装置１１がそのユーザインタフェース４の設定により予めマナーモード状態に設定されている状態で、無接点充電中にバイブレータ装置３を動作させるか否かを、当該端末装置１１の無接点充電が所定の公共の場で行われているか否かにより、判断する機能をＣＰＵ１に実装している。
【００３０】
端末装置１１のユーザがユーザインタフェース４から「バイブレータ装置を動作させない」モードに設定にしている場合において、充電器と被充電器（端末装置１１）間でのＩＤ認証でやり取りされる情報に基づき、例えばカフェレストランやコンビニエンスストア等の公共の場において充電していると判断した場合、ＣＰＵ１は、バイブレータ装置３を動作させない。一方、それ以外（自宅等）で充電していると判断した場合、ＣＰＵ１は、バイブレータ装置３を動作させる。
【００３１】
本実施形態では、端末装置１１が「バイブレータ装置を動作させない」モード（マナーモード）に設定されている場合、無接点充電が行われるときは、常にバイブレータ装置３を動作させないというのではなく、例えば無接点充電が行われる場所が公共の場のときには、バイブレータ装置３を動作させないが、無接点充電が行われる場所が自宅等の場合、動作させるという制御を行う機能（モード）を新たに備え、端末装置１１のユーザは、ユユーザインタフェース４から当該新たなモードを選択する構成としてもよい。なお、端末装置１１を無接点充電する場所が所定の公共の場であるか否かの判定は、充電器／被充電器間でのＩＤ認証に制限されるものでない。無接点充電器の設置場所が、前記所定の公共の場であることを、端末装置１１に通知する手段を備えるか、あるいは、端末装置１１側で検知する任意の手法が適用可能である。
【００３２】
なお、前述したように、上記各実施形態において、端末装置１１は、携帯電話話端末やスマートフォン等に制限されるものでなく、他の端末装置、例えば、ゲーム機、タブレットＰＣ（Ｐｅｒｓｏｎａｌ  Ｃｏｍｐｕｔｅｒ）、ノートＰＣ等にも適用可能である。
【００３３】
なお、上記特許文献２では、充電台が被充電器に振動の禁止を指示するが、本発明では端末自身がバイブレータ装置の動作の停止を判断する。
【００３４】
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００３５】
１  ＣＰＵ
２  充電装置
３  バイブレータ装置
４  ユーザインタフェース（ＵＩ）
１１  端末装置
１２  充電台
【図１】
0005909962.tif 000002
【図２】
0005909962.tif 000003
【図３】
0005909962.tif 000004
【図４】
0005909962.tif 000005